【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
疾患を診断または治療するために被験者または被験動物の体内の場所に物質を送達するための装置であって、
後で前記物質を装入されるために適切なリザーバと、
充填サイトと、前記充填サイトの内部を通じて前記物質を前記リザーバの中に装入可能であることと、
障壁と、前記障壁を通って前記リザーバに装入された物質が前記リザーバから、公知の速度で排出されるように前記リザーバに対して相対配置される、を備える装置。
【請求項２】
前記リザーバが中空の空洞を備える請求項１に記載の装置。
【請求項３】
前記中空の空洞が管からなる請求項２に記載の装置。
【請求項４】
前記リザーバが、前記物質を大量に保持するための多孔材料からなる請求項１に記載の装置。
【請求項５】
前記多孔材料がスポンジからなる請求項４に記載の装置。
【請求項６】
前記多孔材料が、
可塑性高分子発泡体と、
生分解性高分子発泡体と、
非生分解性高分子発泡体と、
多孔ＰＬＬＡと、
多孔ＰＬＧＡと、
多孔ヒドロゲルと、
ポリビニルアルコールと、
シリコーン発泡体と、
ポリテトラフルオロエチレンと、
拡張ポリテトラフルオロエチレンと、
ラテックスと、
ナイロンとからなる多孔材料のグループから選択される物質である請求項４に記載の装置。
【請求項７】
前記リザーバが、前記物質を大量に保持するための多孔材料と組み合わされて中空の空洞を備える請求項１に記載の装置。
【請求項８】
前記多孔材料は、前期物質が前記中空の空洞の中に導入された後で、前記多孔材料の中に吸収または輸送されるように、中空の空洞に隣接して設けられる、請求項４に記載の装置。
【請求項９】
前記充填サイトは、前記物質が前記リザーバの中に導入された後に閉じるために適切な構造を有する、請求項１に記載の装置。
【請求項１０】
前記充填サイトが出入り口を供える請求項１に記載の装置。
【請求項１１】
前記充填サイトは、前記物質が前記リザーバの中に導入されるための管を備える請求項１に記載の装置。
【請求項１２】
前記管の少なくとも一部は、前記物質が前記リザーバの中に導入された後に取り外し可能である請求項１１に記載の装置。
【請求項１３】
前記物質が前記リザーバの中に導入された後に、前記管を、クランプで締め付け、クリップで留め、結さつし、結び、または圧縮するための装置をさらに備える請求項１１に記載の装置。
【請求項１４】
物質が前記リザーバの中に導入された後に、前記物質が前記充填サイトから、逆流することを防止するための閉鎖装置をさらに備える請求項１に記載の装置。
【請求項１５】
前記閉鎖装置が自動密封針出入り口を備える請求項１４に記載の装置。
【請求項１６】
前記閉鎖装置が弁を備える請求項１４に記載の装置。
【請求項１７】
前記弁は、流体を注入する間には前記リザーバの中に第１の方向で前記液体を注入できるようにするが、注入の後には、前記流体が前記リザーバの中から第２の方向で流出することを防止するための逆止め弁を備える請求項１６に記載の方法。
【請求項１８】
前記閉鎖装置が、前記充填サイトを閉じるために前記充填サイトに接着剤を塗布するための塗布器を備える請求項１４に記載の装置。
【請求項１９】
前記閉鎖装置が前記充填サイトを閉じるためのクリップを備える請求項１４に記載の装置。
【請求項２０】
前記閉鎖装置が前記充填サイトを閉じるためのクランプを備える請求項１４に記載の装置。
【請求項２１】
前記閉鎖装置が前記充填サイトを閉じるための結さつ系を備える請求項１４に記載の装置。
【請求項２２】
前記閉鎖装置が自動密封材料を備え、前記自動密封材料には針を挿入することが可能であるとともに、前記針が取り除かれた後に前記針によって作られる貫通通路を密封する、請求項１４に記載の方法。
【請求項２３】
前記障壁が、特定の特性を有する物質が公知の速度で前記障壁を通って前記リザーバから排出できるように構築される請求項１に記載の装置。
【請求項２４】
前記障壁が、特定の粘度または粘度範囲の物質が前記公知の速度で前記障壁を通過できるように構築される請求項２３に記載の装置。
【請求項２５】
前記障壁が、特定の分子量の、あるいは分子量の特定の範囲内の物質が、前記公知の速度で前記障壁を通過できるように構築される請求項２３に記載の装置。
【請求項２６】
前記障壁が、特定の電気量を有する物質が前記公知の速度で前記障壁を通過できるように構築される請求項２３に記載の装置。
【請求項２７】
前記障壁が、ある特定のオスモル濃度または特定のオスモル濃度範囲の物質が前記公知の速度で前記障壁を通過できるように構築される請求項２３に記載の装置。
【請求項２８】
前記障壁が、ある特定のオスモル濃度または特定のオスモル濃度範囲の物質が前記公知の速度で前記障壁を通過できるように構築される請求項２３に記載の装置。
【請求項２９】
前記障壁が、ある特定の化学基または原子を含む物質が前記公知の速度で前記障壁を通過できるように構築される請求項２３に記載の装置。
【請求項３０】
前記障壁が、特定の親水性または疎水性を有する物質が前記公知の速度で前記障壁を通過できるように構築される請求項２３に記載の装置。
【請求項３１】
前記障壁が半透性の障壁を備える請求項１に記載の装置。
【請求項３２】
前記半透性の障壁が公知のサイズの孔を有する請求項３１に記載の装置。
【請求項３３】
前記物質が、公知の速度で前記孔を通過する物質である請求項３２に記載の装置。
【請求項３４】
公知の速度で前記障壁を通過する物質を含有する薬学的に許容できる製剤と組み合わせて請求項１に記載の装置を備えるシステム。
【請求項３５】
特定の物質、溶液、懸濁液、またはその多様な希釈物を、前記物質、溶液、懸濁液、またはその多様な希釈物が前記障壁を通過する特定の速度に関連付けるデータ編集、アルゴリズム、または数式をさらに備える請求項３４に記載のシステム。
【請求項３６】
前記データ編集、アルゴリズムまたは数式が表を備える請求項３５に記載のシステム。
【請求項３７】
前記データ編集、アルゴリズムまたは数式がデータベースを備える請求項３５に記載のシステム。
【請求項３８】
前記データ編集、アルゴリズム、または数式が文書形式で提供される請求項３５に記載のシステム。
【請求項３９】
前記データ編集、アルゴリズムまたは数式が電子的に読み取り可能な形式で提供される請求項３５に記載のシステム。
【請求項４０】
前記データ編集、アルゴリズムまたは数式がコンピュータディスクを備える請求項３５に記載のシステム。
【請求項４１】
前記データ編集、アルゴリズム、または数式が、ユーザによるデータ入力を受信するように、及び特定の物質、溶液、懸濁液、またはその多様な希釈物に関連する前記データ、情報に応えて、前記物質、溶液、懸濁液、またはその多様な希釈物を前記障壁を通過する特定の速度で提供するようにプログラミングされる電子計算機または他の電子デバイスの形式で提供される請求項３５に記載のシステム。
【請求項４２】
前記ユーザが該埋め込み型物質送達装置によって送達されなければならない１つまたは複数の薬物または他の物質を特定する情報を入力し、前記電子計算機または電子デバイスが、
前記埋め込み型物質送達装置に装入するための前記薬物または他の物質を調製する際に使用される希釈剤または溶媒と、
前記薬物または他の物質により治療されてよい感染性微生物、病気、疾患及び状態に関する情報と、
薬物または物質相互作用警告と、
前記選択される薬物または他の物質の考えられる副作用に関する警告と、
前記選択される薬物または他の物質が、１つまたは複数の濃度で該埋め込み型物質送達装置に装入されるときに前記障壁を通過する該公知の速度と、
から選択される情報を提供する請求項４１に記載のシステム。
【請求項４３】
前記薬学的に許容できる製剤が、
画像形成可能な造影剤と、
診断インジケータ剤と、
抗生物質と、
抗真菌剤と、
駆虫薬と、
抗菌剤と、
ステロイドと、
血管収縮薬と、
ロイコトリエン抑制剤と、
ＩｇＥ抑制剤と、
抗炎症薬と、
肥満細胞安定化薬と、
抗ヒスタミン剤と、
免疫賦活剤と、
ＳＹＫキナーゼ抑制剤と、
化学療法薬と、
抗腫瘍薬と、
粘液溶解薬と、
粘液の粘度を薄めるまたはそれ以外の場合変更する薬剤と、
軟組織及び／または骨及び／または軟骨の再形成を容易にする物質と、
からなるグループから選択される少なくとも１つの物質を含有する請求項３４に記載のシステム。
【請求項４４】
前記薬学的に許容できる製剤が、ベクロメタゾン、フルニソリド、フルチカゾン、トリアムシノロン、モメタゾン、アフロメタゾン、デソニド、ヒドロコルチゾン、ベタメタゾン、クロコルトロン、デソキシメタゾン、フルオシノロン、フルランドレノリド、モメタゾン、プレドニカルベート、アムシノニド、デソキシメタゾン、ジフロラゾン、フルオシノロン、フルオシノニド、ハルシノニド、クロベタゾール、拡張ベタメタゾン、ジフロラゾン、ハロベタソール、プレドニゾン、デキサメタゾン、及びメチルフレドニゾロンからなるグループから選択されるステロイドである少なくとも１つの物質を含有する請求項３４に記載のシステム。
【請求項４５】
前記薬学的に許容できる製剤が、アシクロビル、アマンタジン、アミノグリコシド抗生物質、アミカシン、ゲンタマイシン、トブラマイシン、アモキシシリン、アモキシシリンクラブラン酸、アムホテリシンＢ、アンピシリン、アンピシリンスルバクタム、アトバクオン、アジスロマイシン、セファゾリン、セフェピム、セフォタキシム、セフォテタン、セフポドキシム、セフタジジム、セフチゾキシム、セフトリアキソン、セフロキシム、セフロキシムアクセチル、セファレキシン、クロラムフェニコール、クロトリマゾール、シプロフロキサシン、クラリスロマイシン、クリンダマイシン、ダプソン、ジクロキサシリン、ドキシサイクリン、エリスロマイシン、フルコナゾール、フォスカーネット、ガンシクロビル、アティフロキサシン、イミペネム／シラスタチン、イソニアジド、イトラコナゾール、ケトコナゾール、メトロニタゾール、ナフシリン、ナフシリン、ナイスタチン、ペニシリン、ペニシリンＧ、ペンタミジン、ピペラシリン／タゾバフタム、リファンピン、キヌプリスチン−ダルフォプリスチン、チカルシリン／クラブラン酸、トリメトプリム／スルファメトキサゾール、バラシクロビル、バンコマイシン、マフェニイド、スルファジアジン銀、ムピロシン、ナイスタチン、トリアムシノロン／ナイスタチン、クロトリマゾール／ベタメタゾン、クロトリマゾール、ケトコナゾール、ブトコナゾール、ミコナゾール、チオコナゾール、微生物を崩壊させるまたは無能にする合成洗剤のような化学物質、ノノキシノール−９、オクトキシノール−９、塩化ベンザルコニウム、メンフェゴール、及びＮ−ドコサノール、標的細胞に対する微生物付着を妨害する化学物質、伝染性の病原体の細胞への進入を阻止する化学物質、硫酸化ポリマー、ｓｕｌｐｏｎａｔｅｄポリマー、カラギーナン、抗レトロウィルス剤、ＰＭＰＡゲル、抗生物質、病原体と戦う遺伝子操作された、あるいは自然発生的な抗生物質、抗体、組織の状態を変化させ、それを病原体に対して敵対させる薬剤、粘膜ｐＨを改変する薬剤、バッファゲル、病原菌を殺す、あるいは病原菌の成長を阻止する酸性型及び非病原性微生物からなるグループから選択される抗菌剤を含有する、請求項３４に記載のシステム。
【請求項４６】
前記充填サイトを通って、前記リザーバの中に前記薬学的に許容できる製剤を導入するために使用できる少なくとも１つの物質導入装置をさらに備える請求項３４に記載のシステム。
【請求項４７】
前記物質導入装置が注射器からなる請求項４６に記載のシステム。
【請求項４８】
前記物質導入装置が、所定量の前記薬学的に許容できる製剤がいつ該物質導入装置の中に入れられるのかを示すインジケータを含む請求項４６に記載のシステム。
【請求項４９】
前記所定量が、前記リザーバを充填する量である請求項４８に記載のシステム。
【請求項５０】
前記装置が、前記物質導入装置の中に事前に装入された、測定された量の前記薬学的に許容できる製剤を備える請求項３４に記載のシステム。
【請求項５１】
物質の前記リザーバの中への、反復される装入のための複数の物質導入装置を備える、請求項４６に記載のシステム。
【請求項５２】
前記装置が少なくとも部分的に生分解性である請求項１に記載の装置。
【請求項５３】
前記装置が少なくとも部分的に生分解性ではない請求項１に記載の装置。
【請求項５４】
前記装置の把持及び除去を容易にするために前記装置から伸びる把持可能部材をさらに備える請求項１に記載の装置。
【請求項５５】
さらにフレームを備える請求項１に記載の装置。
【請求項５６】
前記フレームが埋め込み後に所望される形状に前記装置を維持するように構築される請求項５５に記載の装置。
【請求項５７】
前記装置が折り畳まれた形状にある間に体内の通路を通って送達され、その後展開される、あるいはその展開形状を取ることを可能にされるように、前記装置が折り畳まれた形状と展開された形状を有する請求項１に記載の装置。
【請求項５８】
前記物質を前記リザーバに導入すると、前記装置がその折り畳まれた形状からその展開形状に移行する請求項５７に記載の装置。
【請求項５９】
前記装置が円形の断面形状を有する請求項１に記載の装置。
【請求項６０】
前記装置が矩形の断面形状を有する請求項１に記載の装置。
【請求項６１】
前記装置が外面を有し、埋め込まれ、物質を挿入されるときに、前記インプラントの前記外面が隣接する解剖学的組織に接する突端と、解剖学的組織から離れて離間されたままとなる窪みを有する請求項１に記載の装置。
【請求項６２】
前記装置は、前記突端が粘膜組織と接触し、前記窪みが粘膜組織から離れて離間されるように、被験者の鼻または副鼻腔の中での埋め込みを目的とする請求項６１に記載の装置。
【請求項６３】
前記装置が繊毛のある粘膜の隣に埋め込まれなければならず、前記窪みが、前記窪みの中の前記装置の外面が、その組織による粘液繊毛輸送機能を妨げないように繊毛のある粘膜から十分に遠く離れたままとなるように構成される請求項６２に記載の装置。
【請求項６４】
前記装置は、前記装置が埋め込まれ、物質を装入するときに、前記装置が、粘液または他の生体液が排出してよい少なくとも１つの流路を形成する構成を取るように構成される請求項１に記載の装置。
【請求項６５】
前記装置は、副鼻腔の小孔の中に埋め込まれるように構成される小孔内部分と、前記副鼻腔の中に伸びることを目的とする副鼻洞内部分とを有する請求項１に記載の装置。
【請求項６６】
前記小孔の少なくとも一部が前記少なくとも１つの凹みの中に受け入れられるように、前記装置の前記小孔内部分に少なくとも１つの凹みがある請求項６５に記載の装置。
【請求項６７】
前記装置の該副鼻洞内の部分が前記小孔を通過するために十分に小さい非展開形状と、前記小孔を通過できないほど大きい寸法の展開形状を有する請求項６５に記載の装置。
【請求項６８】
前記リザーバの中への前記物質の導入により、前記インプラントの該副鼻洞の部分が非展開形状から展開形状へと展開する請求項６５に記載の装置。
【請求項６９】
前記物質が、前記装置の前記副鼻洞内部分が前記副鼻洞の中に進められた後に前記充填サイトを通って前記リザーバの中に導入可能であるように配置、構成され、それにより前記装置の前記副鼻洞内部分がその場でその展開形状に展開する請求項６８に記載の装置。
【請求項７０】
前記装置は、その小孔内部分が副鼻腔の小孔内に、及びその副鼻洞内部分が副鼻腔内にある状態で配置されるときに、前記充填サイトが、前記被験者の鼻腔
の中にまたは鼻孔の中から伸びる充填管を備える請求項６８に記載の装置。
【請求項７１】
前記装置の前記副鼻洞内部分は、前記副鼻洞内部分がその展開形状にあるときに、不注意によって、前記副鼻洞の中から前記小孔を通って通過しないように構成される請求項６８に記載の装置。
【請求項７２】
前記リザーバの中から、または前記障壁を通って、前記物質を移動するための装置をさらに備える請求項１に記載の装置。
【請求項７３】
前記物質を移動するための該装置が、浸透圧ポンプ、機械ポンプ、電気機械ポンプ、ナノテクノロジーポンピング機構及び輸送を駆動するために電流を発する電気装置からなるグループから選択される請求項７２に記載の装置。
【請求項７４】
被験者の体内の埋め込みサイトに前記埋め込み型物質送達装置を送達するために使用できる送達カテーテル装置とさらに組み合わせた、請求項１に記載の埋め込み型物質送達装置を備えるシステム。
【請求項７５】
前記送達カテーテルシステムが、
内腔と末端開口部とを有し、前記埋め込み型物質送達装置がカテーテルの内腔の中に設置されるカテーテルと、
前記埋め込み型物質送達装置に近位の前記カテーテルの前記内腔の中に配置される部材と、
前記カテーテルと、前記カテーテルの前記末端開口部の中から前記埋め込み型物質送達装置を排出するために他方を基準にして移動可能な前記部材の少なくとも１つとを備える請求項７４に記載のシステム。
【請求項７６】
前記埋め込み型物質送達装置及び前記カテーテルの前記内腔の中に配置される前記部材が、前記システムがガイドワイヤ上で進めるために貫通して伸張するガイドワイヤ通路を有する請求項７５に記載のシステム。
【請求項７７】
前記カテーテルは、ガイドワイヤが前記通過できるような大きさで作られた第２の内腔を備え、前記第２の内腔が以前に挿入されたガイドワイヤの中で前記システムを追跡できるようにするために使用できる請求項７５に記載のシステム。
【請求項７８】
疾患を診断または治療するために被験者または被験動物の体内の場所に物質を送達するためのシステムであって、
ａ）内部にリザーバを形成するコンテナ部分であって、前記物質が前記リザーバから排出される障壁を備える少なくとも一つの壁を有するコンテナ部分と、ｂ）前記コンテナ部分を骨及び軟組織のうちの少なくとも一方に付着させる付着部分とを備える埋め込み型物質送達装置と、
ｉ）前記被験者の体内の所望される埋め込みサイトに前記埋め込み型物質送達装置を送達し、ｉｉ）前記付着部分を隣接する骨または軟組織に付着し、及びｉｉｉ）カテーテルが取り除かれ、前記埋め込み型物質送達装置が前記被験者体内に埋め込まれたままとなるように前記埋め込み型物質送達装置をその後解放するように構築される送達カテーテルと、
を備えるシステム。
【請求項７９】
前記埋め込み型物質送達装置が前記被験者体内に埋め込まれる前に前記物質が前記リザーバの中に装入される請求項７８に記載のシステム。
【請求項８０】
前記埋め込み型物質送達装置が被験者体内に埋め込まれた後に前記物質が前記リザーバの中に装入される請求項７９に記載のシステム。
【請求項８１】
前記送達カテーテル装置は、前記送達カテーテル装置が前記埋め込み型物質送達装置から切り離される前に前記リザーバの中に前記物質を注入するように構成される請求項８０に記載のシステム。
【請求項８２】
前記付着部分がネジを備え、該送達カテーテル装置が、骨及び軟組織のうちの少なくとも一方の中にネジを螺入するために回転可能である請求項７８に記載のシステム。
【請求項８３】
特定の特性を有する物質が公知の速度で障壁を通ってリザーバから排出されるように前記障壁が構築される請求項７９に記載のシステム。
【請求項８４】
特定の粘度または粘度の範囲の物質が公知の速度で障壁を通過できるように前記障壁が構築される請求項７９に記載のシステム。
【請求項８５】
特定の分子量または特定の範囲の分子量の物質が公知の速度で障壁を通過できるように前記障壁が構築される請求項７９に記載のシステム。
【請求項８６】
特定の電気量を有する物質が公知の速度で障壁を通過できるように前記障壁が構築される請求項７９に記載のシステム。
【請求項８７】
特定のオスモル濃度または特定の範囲のオスモル濃度の物質が公知の速度で障壁を通過できるように前記障壁が構築される請求項７９に記載のシステム。
【請求項８８】
特定のオスモル濃度または特定の範囲のオスモル濃度の物質が公知の速度で障壁を通過できるように前記障壁が構築される請求項７９に記載のシステム。
【請求項８９】
特定の化学基または原子を含む物質が公知の速度で障壁を通過できるように前記障壁が構築される請求項７９に記載のシステム。
【請求項９０】
前記障壁が半透性の障壁からなる請求項７９に記載のシステム。
【請求項９１】
前記半透性の障壁が公知のサイズの孔を有する請求項９０に記載のシステム。
【請求項９２】
前記公知の速度で障壁を通過する物質を含有する薬学的に許容できる製剤をさらに備える請求項７９に記載のシステム。
【請求項９３】
前記薬学的に許容できる製剤が、
画像形成可能な造影剤と、
診断インジケータ剤と、
抗生物質と、
抗真菌剤と、
駆虫薬と、
抗菌剤と、
ステロイドと、
血管収縮薬と、
ロイコトリエン抑制剤と、
ＩｇＥ抑制剤と、
抗炎症薬と、
肥満細胞安定化薬と、
抗ヒスタミン剤と、
免疫賦活剤と、
ＳＹＫキナーゼ抑制剤と、
化学療法薬と、
抗腫瘍薬と、
粘液溶解薬と、
粘液の粘度を薄めるまたはそれ以外の場合変更する薬剤と、
軟組織、骨及び軟骨のうちの少なくとも１つの再形成を促進する物質と、
からなるグループから選択される少なくとも１つの物質を含有する請求項９２に記載のシステム。
【請求項９４】
前記薬学的に許容できる製剤が、ベクロメタゾン、フルニソリド、フルチカゾン、トリアムシノロン、モメタゾン、アフロメタゾン、デソニド、ヒドロコルチゾン、ベタメタゾン、クロコルトロン、デソキシメタゾン、フルオシノロン、フルランドレノリド、モメタゾン、プレドニカルベート、アムシノニド、デソキシメタゾン、ジフロラゾン、フルオシノロン、フルオシノニド、ハルシノニド、クロベタゾール、拡張ベタメタゾン、ジフロラゾン、ハロベタソール、プレドニゾン、デキサメタゾン、及びメチルフレドニゾロンからなるグループから選択されるステロイドである少なくとも１つの物質を含有する請求項９２に記載のシステム。
【請求項９５】
前記薬学的に許容できる製剤が、アシクロビル、アシクロビル、アマンタジン、アミノグリコシド、アミカシン、ゲンタマイシン、トブラマイシン、アモキ
シシリン、アモキシシリンクラブラン酸、アムホテリシンＢ、アンピシリン、アンピシリンスルバクタム、アトバクオン、アジスロマイシン、セファゾリン、セフェピム、セフォタキシム、セフォテタン、セフポドキシム、セフタジジム、セフチゾキシム、セフトリアキソン、セフロキシム、セフロキシムアクセチル、セファレキシン、クロラムフェニコール、クロトリマゾール、シプロフロキサシン、クラリスロマイシン、クリンダマイシン、ダプソン、ジクロキサシリン、ドキシサイクリン、エリスロマイシン、フルコナゾール、フォスカーネット、ガンシクロビル、アティフロキサシン、イミペネム／シラスタチン、イソニアジド、イトラコナゾール、ケトコナゾール、メトロニタゾール、ナフシリン、ナイスタチン、ペニシリン、ペニシリンＧ、ペンタミジン、ピペラシリン／タゾバフタム、リファンピン、キヌプリスチン−ダルフォプリスチン、チカルシリン／クラブラン酸、トリメトプリム／スルファメトキサゾール、バラシクロビル、バンコマイシン、マフェニイド、スルファジアジン銀、ムピロシン、ナイスタチン、トリアムシノロン／ナイスタチン、クロトリマゾール／ベタメタゾン、クロトリマゾール、ケトコナゾール、ブトコナゾール、ミコナゾール、チオコナゾール、微生物を崩壊させるまたは無能にする合成洗剤のような化学物質、ノノキシノール−９、オクトキシノール−９、塩化ベンザルコニウム、メンフェゴール、及びＮ−ドコサノール、標的細胞に対する微生物付着を妨害する化学物質、伝染性の病原体の細胞への進入を阻止する化学物質、硫酸化ポリマー、ｓｕｌｐｏｎａｔｅｄポリマー、カラギーナン、抗レトロウィルス剤、ＰＭＰＡゲル、抗生物質、病原体と戦う遺伝子操作された、あるいは自然発生的な抗生物質、抗体、組織の状態を変化させ、それを病原体に対して敵対させる薬剤、粘膜ｐＨを改変する薬剤、バッファゲル、病原菌を殺す、あるいは病原菌の成長を阻止する酸性型及び非病原性微生物からなるグループから選択される抗菌剤を含有する請求項９２に記載のシステム。
【請求項９６】
通路の開通性を維持するために、通路の壁の上の少なくともいくつかの場所に隣接して流体が流れることを可能にする間に、人造のまたは自然の解剖学的通路の中での埋め込みのために設計された装置であって、
前記装置の本体が前記通路内の実質的に静止した位置に保持され、流体が前記通路の前記壁に隣接して、及び前記接触部材間の領域内で前記装置を越えて流れ続けてよいように、前記通路の壁と摩擦係合して配置できる少なくとも２つの離間された接触部材を備える本体と、を備える装置。
【請求項９７】
前記装置が少なくとも１つの診断物質または治療剤を溶出する請求項９６に記載の装置。
【請求項９８】
前記装置が前記通路に埋め込まれたときに、前記通路を通る流体の流れが体内の別の場所に前記装置から溶出される前記物質を分散するように設計される請求項９７に記載の装置。